(57)【特許請求の範囲】
【請求項１】
間仕切壁の少なくとも一方の表面に設けられるふかし壁であって、
前記間仕切壁の表面に沿って設けられて略鉛直方向に延びる複数の断面略コの字形状の芯材と、当該複数の芯材の外側の面に張り付けられた仕上材と、を備え、
前記各芯材は、前記間仕切壁から所定間隔離れた状態で、弾性変形可能な弾性部を介して当該間仕切壁に支持され、
当該弾性部は、弾性接着材が硬化したものであり、断面略三角形状で略鉛直方向に延びて、前記芯材の前記間仕切壁に略直交する側面と前記間仕切壁の表面とを連結することを特徴とするふかし壁。
【請求項２】
前記芯材と前記間仕切壁との間には、緩衝材が介装されることを特徴とする請求項１に記載のふかし壁。
【発明の詳細な説明】
【技術分野】
【０００１】
本発明は、ふかし壁に関する。詳しくは、間仕切壁の表面に設けられるふかし壁に関する。
【背景技術】
【０００２】
従来より、隣接する部屋同士を乾式の間仕切壁で仕切る場合がある。この乾式の間仕切壁は、例えば、所定方向に並んで設けられて略鉛直方向に延びる複数本の鋼製のスタッド（間柱）と、これらスタッドの両側面に張り付けられた石膏ボードと、を備える。
ところで、このような乾式の間仕切壁では、一方の壁面から他方の壁面に伝搬する固体音を軽減することが課題となる。固体音とは、扉の開閉音や壁面を叩いた音など、間仕切壁が振動して伝搬する音である。
【０００３】
そこで、間仕切壁の両側面にふかし壁を設けて、固体音を軽減することが提案されている（特許文献１参照）。このふかし壁とは、間仕切壁の表面に沿って設けられて略鉛直方向に延びる複数の芯材と、これら複数の芯材の外側の面に張り付けられた石膏ボードと、を備える。このふかし壁の芯材は、間仕切壁の表面から離間して設けられている。
このふかし壁を設けることにより、ふかし壁の表面が振動しても、この振動は間仕切壁に伝搬せず、固体音を低減できる。
【先行技術文献】
【特許文献】
【０００４】
【特許文献１】特開２０１１−３２８０２号公報
【発明の概要】
【発明が解決しようとする課題】
【０００５】
しかしながら、以上のふかし壁では、芯材が間仕切壁の表面から離れており、この芯材は上下端のみで支持されている。そのため、ふかし壁表面の剛性を向上させるため、石膏ボードを増し張りしたり、芯材のサイズを大きくしたりする必要があり、コストが増大するという問題があった。
【０００６】
本発明は、低コストで固体音を低減できるふかし壁を提供することを目的とする。
【課題を解決するための手段】
【０００７】
請求項１に記載のふかし壁は、間仕切壁の少なくとも一方の表面に設けられるふかし壁であって、前記間仕切壁の表面に沿って設けられて略鉛直方向に延びる複数の断面略コの字形状の芯材と、当該複数の芯材の外側の面に張り付けられた仕上材と、を備え、前記各芯材は、前記間仕切壁から所定間隔離れた状態で、弾性変形可能な弾性部を介して当該間仕切壁に支持され、当該弾性部は、弾性接着材が硬化したものであり、断面略三角形状で略鉛直方向に延びて、前記芯材の前記間仕切壁に略直交する側面と前記間仕切壁の表面とを連結することを特徴とする。
【０００８】
本発明のふかし壁は、前記間仕切壁は、乾式構造であることが好ましい。
【０００９】
この発明によれば、ふかし壁の各芯材を、弾性変形可能な弾性部を介して、間仕切壁から所定間隔離れた状態で支持させた。よって、固体音による芯材の振動は、弾性部により減衰されて間仕切壁に伝搬するので、固体音を低減できる。
また、芯材の中間高さの複数箇所に弾性部を設けることにより、芯材を間仕切壁に一体化させて、ふかし壁の剛性を確保できる。よって、石膏ボードを増し張りしたり、芯材のサイズを大きくしたりする必要がなくなるので、コストを抑えることができる。
【００１０】
また、間仕切壁が乾式構造である場合には、間仕切壁が鉄筋コンクリート壁のような湿式構造である場合に比べて、固体音が大きくなるため、このような効果が顕著となる。
【００１１】
請求項１に記載のふかし壁は、前記弾性部は、弾性接着材が硬化したものであることを特徴とする。
【００１２】
この発明によれば、弾性接着材を硬化させて弾性部とした。よって、弾性接着材を芯材と間仕切壁との間に付けて硬化させるだけで、弾性部を形成できるので、施工が容易となる。
【００１３】
請求項２に記載のふかし壁は、前記芯材と前記間仕切壁との間には、緩衝材が介装されることを特徴とする。
【００１４】
ここで、緩衝材としては、減衰ゴムのようにばね定数の低い弾性体、ロックウール、グラスウール、発泡ポリスチレン、石膏などが挙げられる。
この発明によれば、芯材と間仕切壁との間に緩衝材を介装したので、間仕切壁で芯材をより確実に支持して、ふかし壁の剛性を向上できる。
【００１５】
本発明のふかし壁は、前記間仕切壁の表面に取り付けられる基部と、当該基部から所定間隔離れて設けられて前記芯材を支持する芯材支持部と、を備え、前記基部と前記芯材支持部との間には、前記ふかし壁の厚み方向に沿って延びる隙間が形成され、前記弾性部は、当該隙間に設けられることが好ましい。
【００１６】
この発明によれば、基部と芯材支持部との間にふかし壁の厚み方向に沿って延びる隙間を形成し、この隙間に弾性部を設けたので、この弾性部は、ふかし壁の厚み方向に大きく弾性変形可能となる。固体音はふかし壁の表面がふかし壁の厚み方向に振動することによって発生するから、ふかし壁の振動をより確実に吸収できる。
【発明の効果】
【００１７】
本発明によれば、ふかし壁の各芯材を、弾性変形可能な弾性部を介して、間仕切壁から所定間隔離れた状態で支持させた。よって、固体音による芯材の振動は、弾性部により減衰されて間仕切壁に伝搬するので、固体音を低減できる。また、芯材の中間高さの複数箇所に弾性部を設けることにより、芯材を間仕切壁に一体化させて、ふかし壁の剛性を確保できる。よって、石膏ボードを増し張りしたり、芯材のサイズを大きくしたりする必要がなくなるので、コストを抑えることができる。また、間仕切壁が乾式構造である場合には、間仕切壁が鉄筋コンクリート壁のような湿式構造である場合に比べて、固体音が大きくなるため、このような効果が顕著となる。
【図面の簡単な説明】
【００１８】
【図１】本発明の第１実施形態に係るふかし壁が適用された間仕切壁構造の水平断面図である。
【図２】前記実施形態に係るふかし壁の部分拡大断面図である。
【図３】前記実施形態に係るふかし壁の部分拡大斜視図である。
【図４】本発明の第２実施形態に係るふかし壁の部分拡大断面図である。
【図５】本発明の第２実施形態に係るふかし壁の変形例である。
【図６】本発明の第３実施形態に係るふかし壁の部分拡大断面図である。
【図７】前記実施形態に係るふかし壁の部分拡大斜視図である。
【発明を実施するための形態】
【００１９】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係るふかし壁２０が適用された間仕切壁構造１の水平断面図である。
間仕切壁構造１は、隣接する部屋同士を仕切る壁であり、間仕切壁１０と、この間仕切壁１０の両側面に設けられたふかし壁２０と、を備える。
【００２０】
この間仕切壁１０は、乾式構造の遮音壁であり、所定方向に並んで設けられて略鉛直方向に延びる鋼製の間柱１１と、これら間柱１１の両側面に張り付けられた仕上材１２と、これら仕上材１２の間の内部空間１３に面状に設けられた遮音材１４と、を備える。
【００２１】
間仕切壁構造１が設けられる床スラブの上面には、間仕切壁１０の壁芯に沿って延びる図示しない下部ランナが配置され、間仕切壁構造１が設けられる上階の床スラブの下面には、下部ランナに対向して延びる図示しない上部ランナが配置されている。間柱１１は、軽量鉄骨製の断面略コの字形状であり、上述の下部ランナと上部ランナとの間に、間仕切壁１０の壁芯に沿って千鳥状に設けられている。
【００２２】
仕上材１２は、石膏ボードであり、ステープルで間柱１１に固定される。
遮音材１４は、グラスウールであり、千鳥状に配置された間柱１１と仕上材１２との隙間を通って、間仕切壁１０の全面に亘って面状に設けられている。
【００２３】
ふかし壁２０は、間仕切壁１０の仕上材１２の表面に沿って設けられて略鉛直方向に延びる複数の芯材２１と、これら複数の芯材２１の外側の面つまり仕上材１２の反対側の面に張り付けられた仕上材２２と、を備える。
また、仕上材２２は、石膏ボードであり、ステープルで芯材２１に固定される。
【００２４】
図２は、ふかし壁２０の部分拡大断面図である。
ふかし壁２０の芯材２１は、軽量鉄骨製であり、断面略コの字形状となっている。すなわち、この芯材２１は、外側に開放された開放面２１Ａと、この開放面２１Ａに背中合せとなる背面２１Ｃと、この背面２１Ｃと開放面２１Ａとに隣接する側面２１Ｂ、２１Ｄと、を有する。
このうち、開放面２１Ａは、間仕切壁１０の仕上材１２の表面に対向しており、背面２１Ｃには、ふかし壁２０の仕上材２２が取り付けられる。
【００２５】
芯材２１は、仕上材１２から所定間隔離れた状態で、弾性変形可能な弾性部２３を介して、この仕上材１２に支持されている。具体的には、弾性部２３は、芯材２１の高さ方向に沿って中間高さの複数箇所に設けられており、芯材２１の側面２１Ｂ、２１Ｄと仕上材１２の表面との間を連結している（図３参照）。
各弾性部２３は、弾性接着材が硬化したものである。すなわち、この弾性接着材は、硬化前はある程度の粘性を有する流体であるが、硬化後には弾性変形可能な固体となる性質である。
【００２６】
以上のふかし壁２０の芯材２１は、以下の手順で建て込んでゆく。
すなわち、図３に示すように、芯材２１を建て込む際に、芯材２１と間仕切壁１０の仕上材１２との間にスペーサ２４を挟み込む。これにより、芯材２１と仕上材１２との隙間は一定となる。
次に、芯材２１の高さ方向に沿って所定間隔おきに、上述の弾性接着材を付けてゆく。この弾性接着材が硬化して弾性部２３を形成した後、スペーサ２４を図３中矢印方向に引き抜く。
これにより、芯材２１は、間仕切壁１０の仕上材１２から所定間隔離れるとともに、仕上材１２に弾性部２３を介して支持される。
【００２７】
本実施形態によれば、以下のような効果がある。
（１）ふかし壁２０の各芯材２１を、弾性変形可能な弾性部２３を介して、仕上材１２から所定間隔離れた状態で支持させた。よって、固体音による芯材２１の振動は、弾性部２３により減衰されて仕上材１２に伝搬するので、固体音を低減できる。
また、芯材２１の中間高さの複数箇所に弾性部２３を設けたので、芯材２１を仕上材１２に一体化させて、ふかし壁２０の剛性を確保できる。よって、石膏ボードを増し張りしたり、芯材のサイズを大きくしたりする必要がなくなるので、コストを抑えることができる。
【００２８】
また、間仕切壁１０が乾式構造であるので、間仕切壁が鉄筋コンクリート壁のような湿式構造である場合に比べて、固体音が大きくなるため、上述の効果が顕著となる。
【００２９】
（２）弾性接着材を硬化させて弾性部２３とした。よって、弾性接着材を芯材２１と間仕切壁１０との間に付けて硬化させるだけで、弾性部２３を形成できるので、施工が容易となる。
【００３０】
〔第２実施形態〕
図４は、本発明の第２実施形態に係るふかし壁２０Ａの部分拡大断面図である。
【００３１】
本実施形態は、芯材２１と仕上材１２との間に、緩衝材２５が介装される点が、第１実施形態と異なる。
この緩衝材２５は、芯材２１の開放面２１Ａを覆うように設けられている。この緩衝材２５は、減衰ゴム、ロックウール、グラスウール、あるいは発泡ポリスチレンからなる。
なお、これに限らず、図５に示すように、緩衝材２５の一部、例えば緩衝材２５の芯材２１の先端に当接する部分２５１を、石膏などの異なる材質としてもよい。
【００３２】
本実施形態によれば、上述の（１）、（２）の効果に加えて、以下のような効果がある。
（３）芯材２１と間仕切壁１０の仕上材１２との間に緩衝材を介装したので、間仕切壁１０で芯材２１をより確実に支持して、ふかし壁２０の剛性を向上できる。
【００３３】
〔第３実施形態〕
図６は、本発明の第３実施形態に係るふかし壁２０Ｂの部分拡大断面図である。図７は、ふかし壁２０Ｂの部分拡大斜視図である。
【００３４】
本実施形態は、弾性部２３が設けられておらず、ふかし壁２０の面外方向の振動を吸収する振動吸収機構３０が設けられている点が、第１実施形態と異なる。
すなわち、振動吸収機構３０は、間仕切壁１０の仕上材１２の表面に取り付けられる基部３１と、この基部３１から所定間隔離れて設けられて芯材２１を支持する芯材支持部３２と、基部３１と芯材支持部３２との間に介装された弾性部３３と、を備える。
【００３５】
芯材支持部３２は、芯材２１の開放面２１Ａ、側面２１Ｂ、２１Ｄを囲む断面コの字形状であり、芯材２１の側面２１Ｂ、２１Ｄを挟持している。
基部３１は、芯材支持部３２を所定間隔離れて囲む断面略コの字形状である。これにより、基部３１と芯材支持部３２との間には、ふかし壁２０の厚み方向に沿って延びる隙間３４が形成される。
【００３６】
弾性部３３は、基部３１と芯材支持部３２との隙間３４に設けられており、これにより、隙間３４に沿った方向つまりふかし壁２０の厚み方向に大きく弾性変形可能である。
【００３７】
本実施形態によれば、上述の（１）の効果に加えて、以下のような効果がある。
（４）基部３１と芯材支持部３２との間にふかし壁２０の厚み方向に沿って延びる隙間３４を形成し、この隙間３４に弾性部３３を設けたので、この弾性部３３は、ふかし壁２０の厚み方向に大きく弾性変形可能となる。固体音はふかし壁２０の表面がふかし壁の厚み方向に振動することによって発生するから、ふかし壁２０の振動をより確実に吸収できる。
【００３８】
なお、本発明は前記実施形態に限定されるものではなく、本発明の目的を達成できる範囲での変形、改良等は本発明に含まれるものである。
【符号の説明】
【００３９】
１…間仕切壁構造
１０…間仕切壁
１１…間柱
１２…仕上材
１３…内部空間
１４…遮音材
２０、２０Ａ、２０Ｂ…ふかし壁
２１…芯材
２１Ａ…開放面
２１Ｂ…側面
２１Ｃ…背面
２１Ｄ…側面
２２…仕上材
２３…弾性部
２４…スペーサ
２５…緩衝材
３０…振動吸収機構
３１…基部
３２…芯材支持部
３３…弾性部
３４…隙間
２５１…緩衝材のうち芯材に当接する部分
【図１】
0005743917.tif 000002
【図２】
0005743917.tif 000003
【図３】
0005743917.tif 000004
【図４】
0005743917.tif 000005
【図５】
0005743917.tif 000006
【図６】
0005743917.tif 000007
【図７】
0005743917.tif 000008